(57)【特許請求の範囲】
【請求項１】
複数段の梯子を伸縮自在に連結し、吊持ち体の巻き出し巻き取りにより下段側梯子を上段側梯子に重合するよう移動して天井に収納される収納姿勢と、下段側梯子を上段側梯子から引き出すようにして天井から床面に向けて垂下される使用姿勢とに変姿できるように構成してなる天井収納梯子において、前記吊持ち体の長さ調節をするにあたり、吊持ち体の一端部を、梯子の使用姿勢状態で床面と天井面とのあいだに位置して梯子を構成する手摺りまたは縦桟の下端部に、長さ調節機構を介して連結した天井収納梯子の吊持ち体調節装置。
【請求項２】
請求項１において、長さ調節機構は、手摺りまたは縦桟の下端面に取付けられ、吊持ち体の一端部に形成した折り返し部を抜き差し自在に貫通するための貫通孔が穿設された調節用板材と、貫通孔から外側に貫通した前記折り返し部のうちの折り返し貫通部が懸回される状態で該貫通孔に一部が外側から嵌入して前記折り返し部のうちの貫通孔部位で重合している両折り返し重合部を貫通孔の両孔縁とのあいだで挟持する挟持体とを備えて構成されている天井収納梯子の吊持ち体調節装置。
【請求項３】
請求項２において、挟持体はゴム質弾性材から構成されている天井収納梯子の吊持ち体調節装置。
【請求項４】
請求項２または３において、挟持体により支持される折り返し重合部から先端側に延びる吊持ち体先端部は、さらに折り返されて調節用板材から外側に引出され、該引出し先端部を調節用板材に止着した天井収納梯子の吊持ち体調節装置。
【発明の詳細な説明】
【０００１】
【発明の属する技術分野】
本発明は、天井に形成される屋根裏部屋等の部屋に出入りするため設けられる天井収納梯子の技術分野に属するものである。
【０００２】
【従来技術】
一般に、この様な天井収納梯子の中には、ベルトやワイヤ、チエン等の吊持ち体の巻き取り、巻き出しをすることで天井に収納される収納姿勢と、天井から傾斜状に垂下して人の登り降りがなされる使用姿勢とに変姿できるようにしたものが知られている。そしてこのものでは、前記吊持ち体を、天井側に配したプーリ（あるいはスプロケット）と梯子とのあいだに介装している。
【０００３】
【発明が解決しようとする課題】
ところが、吊持ち体は、使用によって延びることがあり、この様な場合には、長さ調節する必要がある。蓋し、天井収納梯子として、左右一対の吊持ち体を設けたものである場合、両者が同じ程度に延びたときにはあまり問題はないが、何れか一方が長く延びてしまうことがあり、この場合、天井収納梯子が短い側の吊持ち体による片持ち状態となってしまい、円滑な伸縮作動がなされなくなってしまう等の不具合が生じる惧れが考えられるからである。
そのため従来は、吊持ち体が延びたような場合、使用姿勢にした状態で梯子をいちいち昇り、前記天井側に配したプーリに対する吊持ち体の連結位置を調節することで吊持ち体の長さ調節していた。このため、作業性が悪いうえ、狭い天井裏で面倒かつ煩雑な作業が強いられる等の問題があり、ここに本発明の解決すべき課題がある。
【０００４】
【課題を解決するための手段】
本発明は、上記の如き実情に鑑みこれらの課題を解決することを目的として創作されたものであって、請求項１の発明は、複数段の梯子を伸縮自在に連結し、吊持ち体の巻き出し巻き取りにより下段側梯子を上段側梯子に重合するよう移動して天井に収納される収納姿勢と、下段側梯子を上段側梯子から引き出すようにして天井から床面に向けて垂下される使用姿勢とに変姿できるように構成してなる天井収納梯子において、前記吊持ち体の長さ調節をするにあたり、吊持ち体の一端部を、梯子の使用姿勢状態で床面と天井面とのあいだに位置して梯子を構成する手摺りまたは縦桟の下端部に、長さ調節機構を介して連結した天井収納梯子の吊持ち体調節装置である。
そしてこの様に構成することにより、いちいち梯子を昇って天井側での長さ調節作業をする必要がなく、天井と床面とのあいだに位置して床面からの作業がしやすい縦桟体下端部において長さ調節作業ができることになって作業性が向上する。
請求項２の発明は、請求項１において、長さ調節機構は、手摺りまたは縦桟の下端面に取付けられ、吊持ち体の一端部に形成した折り返し部を抜き差し自在に貫通するための貫通孔が穿設された調節用板材と、貫通孔から外側に貫通した前記折り返し部のうちの折り返し貫通部が懸回される状態で該貫通孔に一部が外側から嵌入して前記折り返し部のうちの貫通孔部位で重合している両折り返し重合部を貫通孔の両孔縁とのあいだで挟持する挟持体とを備えて構成されている天井収納梯子の吊持ち体調節装置である。
この様にしたものでは、長さ調節する場合に、挟持体を引っ張って吊持ち体を適当な状態に緊張させ、そして吊持ち体先端部を貫通孔内に引っ張り込むようにしながら挟持体を貫通孔に嵌入させることで、挟持体を引っ張ったことで余った吊持ち体を送りやって挟持体に吊持ち体の折り返し貫通部が面接触する状態で懸回するよう調節できて、長さ調節後に元の緩んだ状態に戻ってしまうことを防止できる。
請求項３の発明は、請求項２において、挟持体はゴム質弾性材から構成されている天井収納梯子の吊持ち体調節装置である。
このようにすることで、ゴム質弾性を利用して吊持ち体の弾性的な挟持ができて、吊持ち体のゆるみ現象をさらに回避できる。
請求項４の発明は、請求項２または３において、挟持体により支持される折り返し重合部から先端側に延びる吊持ち体先端部は、さらに折り返されて調節用板材から外側に引出され、該引出し先端部を調節用板材に止着した天井収納梯子の吊持ち体調節装置である。
そしてこの様にしたものでは、長さ調節した後の吊持ち体の緩み現象をさらに回避できる。
【０００５】
【発明の実施の形態】
次ぎに、本発明の実施の形態について、図面に基づいて説明する。因みに、以下の説明では、梯子が床面から天井に掛けられた使用状態において、天井側、つまり梯子が収納すべく移動する側を前側、床側、つまり梯子が使用姿勢になるべく引出される側を後側として前後方向を定義し、以下、これに基づいて説明する。図中、１は天井部に前後左右からなる四周の枠板２によって形成される開口に支軸３を介して上下揺動自在に軸支される底板であって、該底板１の上面に梯子４が組込まれている。つまり、底板１の上面前後両端部にはブラケット５，６が起立状に止着され、該ブラケット５，６の中位高さ位置に、前後端縁が底板１の前後端位置よりそれぞれ少し短くなる設定で、上段梯子７の左右縦桟７ａが底板１と平行状に組込まれている。さらに、ブラケット５，６の上端位置には手摺り８が組込まれている。そして手摺り８は、前端縁が底板１の前端縁より前方に位置してその下方に後述するように電動モータＭが配設され、後端縁は上段梯子７の後端縁とほぼ一致する長さに設定されている。尚、７ｂは上段梯子７のステップである。
また、底板１の前後方向中間部の左右側縁には、規制棒１ａの基端部が支軸１ｂにより揺動自在に軸支されているが、該規制棒１ａの先端部は、天井部開口２の左右両側縁部に設けた位置決め金具２ａに移動自在に貫通し、貫通先端部に位置決め用のナット１ｃが位置調節自在に螺装されている。そして後述するように底板１が天井面に面一状になる収納位置となった状態では、規制棒１ａはナット１ｃよりも下側位置で位置決め金具２ａに貫通し、そして梯子４が所定の使用姿勢になると、位置決めナット１ｃが位置決め金具２ａに当接してこれ以上下降することを規制して底板１の下動揺動を規制し、使用姿勢になるように設定されている。
【０００６】
一方、９はブラケット５，６の左右内側切欠き５ａ、６ａに配される中継部材であって、該中継部材９は、上段梯子７とブラケット５、６に挟まれる側板部９ａと、手摺り８の下側に隠れる上板部９ｂとにとにより構成されるが、側板部９ａに設けたガイドローラ９ｃが、上段梯子縦桟７ａに設けたガイドレール７ｃに案内ガイドされることで、中継部材９は縦桟７ａの長手方向（前後方向）に向けて移動自在に構成されている。そして、中継部材９は、前記ガイド作動によって、後述するように梯子４が収納姿勢となったときには、前後端部が上段梯子縦桟７ａの前後端位置とほぼ一致する収納姿勢状態と、後端位置が縦桟７ａの後端部より後方に突出し、前端位置が縦桟７ａの後半部に支持された使用姿勢状態とに移動自在となっている。
【０００７】
つぎに、１０は左右縦桟１０ａとステップ１０ｂとを用いて構成される下段梯子であって、該下段梯子１０は、左右中継部材９のあいだで、かつ上段梯子７と中継部材上板部９ｂとのあいだに配されている。そして下段梯子１０は、中継部材側板部９ａに設けてガイドローラ９ｄおよび上板部９ｂに設けたガイドローラ９ｄが、下段梯子１０に設けたガイドレール１０ｄに案内ガイドされることでに前後方向移動自在に組込まれるものであるが、収納姿勢状態では前後端縁が手摺り８の前後端縁位置と略一致し、使用姿勢状態では、前端縁は中継部材９の中間部に位置していて、最上段ステップ１０ｂが上段梯子７の最下段ステップ７ｂに対して略一段分のステップ間隔を存して離間する位置に位置し、後端縁は床面に当接する位置に位置するように設定されている。そして下段梯子１０の後端縁にはボトムキャップ１１が止着されているが、該ボトムキャップ１１の床当接面には滑り止め用溝１１ａが形成されている。また、ボトムキャップ１１は、床面当接状態で床面と平行になるよう設定され、これにより後述する収納姿勢状態では、上側が後方に突出し、下側が前方に後退した傾斜姿勢となる設定になっている。
【０００８】
次ぎに、梯子４の伸縮収納機構について説明する。前記電動モータＭは天井部に形成されたケーシング１４に内装されているが、電動モータＭからの出力軸に連動連結される左右のプーリ１２には第一ベルト１３が巻装されるが、該第一ベルト１３は、ケーシング１４に設け、ベルト緊張力の喪失で梯子４が下限に達したことを検知する下限リミットスイッチ１５を経由して手摺り８の前端に設けた中間プーリ１６を経て手摺り８内に導かれ、先端が動プーリ（動滑車）１６ａに止着されている。
一方、１７は第二ベルトであって、該第二ベルト１７は、一端部が手摺り８の後端部（階段４を使用姿勢としたときに床面と天井面とのあいだにあって、立ち姿勢で階段４を昇ろうとした人が手を掛ける位置にあるよう設定された下端部であって、該手摺りが本発明の縦桟体に相当する）に後述するように止着され他端部が下段梯子１０の前端縁に止着され、そして中間部が前記動プーリ１６ａに懸回されている。そして前述したように下段梯子１０の後端部が接床した使用姿勢状態から電動モータＭを駆動して第一ベルト１３を巻き取っていくと、動プーリ１６ａは前方に移動することになり、これによって第二ベルト１７の下段梯子側半部が巻き上げられることになって下段梯子１０が上昇し、下段梯子１０の前端縁が中継部材９の前端縁に当接することにより、今度は中継部材９も下段梯子１０と共に上昇し、そして下段梯子１０および中継部材９が略前端位置に到達することにタイミングを合わせて底板１が上昇し、そして底板１が天井面と略面一になって天井枠板２に収納される収納姿勢となることで、底板１に設けたリミットプッシュ１８がケーシング１４に設けた上限リミットスイッチ１９に作用することに伴う上限検知で電動モータＭが停止し、而して梯子４は収納姿勢となるように設定されており、この収納姿勢状態では、第一、第二ベルト１３，１７は何れも緊張状態になっていると共に、この収納姿勢では、上段梯子７が底板１の上側に、その上側に下段梯子１０が重複（積層、オーバーラップ）する位置関係となっている。
尚、梯子４が収納姿勢状態から使用姿勢状態に変姿する場合はこれとは逆の作動をすることになるが、その詳細については省略する。
【０００９】
さてつぎに、本発明が実施されたベルト（吊持ち体）の長さ調節機構２０について説明する。この本実施の形態では、長さ調節機構２０は、第二ベルト１７の長さ調節を前述したように使用姿勢となった手摺り８の後端部（以下、使用姿勢状態での説明となるので「下端部」という）でできる設定になっている。
つまり、使用姿勢の手摺り８の下端部は、人が梯子４を昇ろうとするとき手を掛けることができる位置にあるよう設定されているが、手摺り８の下端面には、調節用板材２１がビス２２により一体的に止着されるが、該調節用板材２１は、上下高さは手摺り８の上下高さより上下両側で幅狭に設定されている。そして調節用板材２１の上下方向中間部には、第二ベルト１７の一端部を折り返して形成した折り返し部を手摺り８内から外側に遊嵌状に貫通抜き差しできる貫通孔２１ａが穿設されている一方、上端縁には鋸歯状の係止爪２１ｂが形成され、下端縁は下側ほど拡開した逆凹溝２１ｃが形成されている。
そして、第二ベルト１７の前記折り返し部のうち、貫通孔２１ａから外側に貫通抜き出した部位である折り返し貫通部１７ａを、ゴム質弾性材を用いて四角柱形状に形成した挟持体２３に懸回させた状態で、該挟持体２３の任意のコーナー部２３ａを外側から貫通孔２１ａに出し入れ自在に嵌入（嵌入量は僅かでよい）させると、前記折り返し部のうちの貫通孔２１ａ部位に位置する第二ベルト１７の上下折り返し重合部１７ｂが貫通孔２１ａの上下孔縁と挟持体２３の上下面とのあいだに弾圧状に挟持される設定になっている。そして該挟持体２３により支持される折り返し重合部１７ｂから延びるベルト先端部１７ｃはさらに下側に折り返されて前記逆凹溝２１ｃから外側に引出され、そして挟持体２３を懸回した折り返し貫通部１７ａの外側を懸回するようにして上方に導かれたものが、係止爪２１ｂに係止されて再び手摺り８と調節用板材２１とのあいだから手摺り８内に引き込まれるように配されている。
一方、２４は前記手摺り８の下端部を塞ぐべくビス２５を用いて着脱自在に止着されるキャップ材であって、該キャップ材２４には、係止爪２１ｂと対応する位置に抜け止め部２４ａが形成されるが、該抜け止め部２４ａは、キャップ材２４を手摺り８に止着した場合に、係止爪２１ｂに干渉して該係止爪２１ｂに係止した第二ベルト１７の抜け止めをする設定になっている。
【００１０】
叙述の如く構成されたものにおいて、梯子４は、前述したように電動モータＭの正逆駆動に伴う第一ベルト１３の巻き取り、巻き出しに基づいて天井に収納される収納姿勢と下段梯子１０の後端が床に設置する使用姿勢とに変姿するものであるが、第一、第二ベルト１３，１７の少なくとも一方が延びた場合に、使用姿勢にした梯子４の手摺り８の下端部に長さ調節機構が設けられているため、いちいち梯子４を昇って天井裏に至り、そしてケーシング１４を明けての作業が強いられることがなく、天井面と床面とのあいだに位置する手摺り８の下端部で調節作業ができることになって、作業性が大いに改善される。
【００１１】
しかもこのものにおけるベルトの長さ調節作業は、まずビス２５を外してキャップ材２４を外した後、係止爪２１ｂに係止しているベルト先端部１７ｃを外したものをそのまま自然状態で垂下させた状態で、挟持体２３を手前側（外側）に引っ張って第二ベルト１７の長さ調節をする。しかる後、前記垂下しているベルト先端部１７ｃを引っ張る等して前記挟持体２３を手前側に引っ張って長さ調節された分のベルト送りをし、この状態で再びベルト先端部１７ｃを折り返し貫通部１７ａの外面を面接触して懸回する状態で係止爪２１ｂに上側から係止する。その後、キャップ材２４を手摺り８の下端面に止着することでベルト１７の長さ調節ができることになる。
この様に、本発明が実施された形態のものでは、ベルト１７の長さ調節を、調節用板材２１の外側に突出する状態の挟持体２３をベルト緩みを取るべく引っ張って長さ調節をし、その後、ベルト先端部１７ｃを引っ張る等して緩み解消分のベルト送りをした状態で挟持体２３を貫通孔２１ａに嵌入させればよく、これによって、前記長さ調整された第二ベルト１７は、挟持体２３に面接触状態で懸回して
折り返し貫通部１７ａが挟持部２３によく巻き付くと共に、上下折り返し重合部１７ｂが挟持体２３と貫通孔２１ａの上下両縁に弾圧状に挟持される状態で長さ調節されることになって、このままでも良好なベルト支持ができ、ベルト緩みのない状態にできる。
そのうえ、ベルト先端部１７ｃは、調節用板材２１に止着されるため、さらなるベルト緩み防止機能の向上が図れるが、その場合に、一旦、前記挟持体２３を懸回するベルト折り返し貫通部１７ａの外側をさらに懸回した状態で止着されるため、さらなるベルト緩み防止機能の向上が図れ、しかもベルト先端部１７ｃの止着は、該先端部１７ｃを係止爪２１ｂに上側から係止した状態で、キャップ材２４を手摺り８に止着することで自動的な抜け止めがなされた状態で止着され、この結果、ベルト先端部１７ｃをビス止めする等の専用の止着作業が不要になって、作業性が向上する。
【００１２】
尚、本発明は、前記実施例に限定されないものであることは勿論であって、天井収納梯子としては、電動式でなく、手動式のものでも実施することができる。また、収納梯子としては二段式ではなく、三段、四段等、多段のものでも同じように実施することができる。そして、長さ調節機構が設けられる縦桟体としては、使用姿勢状態で天井面と床面とのあいだに位置する縦桟体であれば手摺りに限らず、梯子を構成する縦桟であっても勿論よい。また、吊持ち体としては、ベルトに限らず、ワイヤ、チエン等、天井収納梯子を収納姿勢と使用姿勢に変姿するためのものであれば特に限定されるものではなく、また吊持ち体の掛け回し方式についても特に限定されるものではない。
【図面の簡単な説明】
【図１】天井収納梯子の一部を切り欠いた収納姿勢状態の側面図である。
【図２】天井収納梯子の収納姿勢状態を示す正面断面図である。
【図３】天井収納梯子の使用姿勢状態を示す一部切欠き側面図である。
【図４】天井収納梯子の使用姿勢状態を示す正面図である。
【図５】キャップ材を外した状態の手摺り下端部の側面図である。
【図６】キャップ材を外した状態の手摺り下端部の正面図である。
【図７】キャップ材を取付けた状態の手摺り下端部の側面図である。
【図８】キャップ材を取付けた状態の手摺り下端部の正面図である。
【図９】挟持体を引っ張った状態の手摺り下端部の作用説明図である。
【符号の説明】
４    梯子
７    上段梯子
８    手摺り
１７    第二ベルト
１３    第一ベルト
１７    第二ベルト
２１    調節用板材
２１ａ  貫通孔
２１ｂ  係止爪
２３    挟持体
２４    キャップ材
２４ａ  抜け止め部
【図１】
0003644244.tif 000002
【図２】
0003644244.tif 000003
【図３】
0003644244.tif 000004
【図４】
0003644244.tif 000005
【図５】
0003644244.tif 000006
【図６】
0003644244.tif 000007
【図７】
0003644244.tif 000008
【図８】
0003644244.tif 000009
【図９】
0003644244.tif 000010